(57)【特許請求の範囲】
【請求項１】
電子鍵盤楽器本体と、該電子鍵盤楽器本体を支持するスタンドとを有する楽器システムであって、
前記電子鍵盤楽器本体は、その左右端部の前部底面に左側脚部及び右側脚部が突設され、前記両脚部を平坦面に当接させて該平坦面に直置き可能であり、
前記スタンドの左右端部の前部上部には、左側載せ台部及び右側載せ台部が設けられ、前記両載せ台部に前記電子鍵盤楽器本体の底面を当接させて、前記電子鍵盤楽器本体を前記スタンドに支持させることが可能であり、
前記電子鍵盤楽器本体を演奏可能なように前記スタンドに支持させたとき、前記電子鍵盤楽器本体の前記左側脚部及び前記右側脚部が、前記スタンドの前記左側載せ台部及び前記右側載せ台部の左右方向における共に内側または共に外側のいずれかに位置するように構成されたことを特徴とする楽器システム。
【発明の詳細な説明】
【技術分野】
【０００１】
本発明は、電子鍵盤楽器本体がスタンドによって支持される楽器システムに関する。
【背景技術】
【０００２】
従来、電子鍵盤楽器本体を、演奏可能にスタンドに支持させる楽器システムが知られている。例えば、下記特許文献１では、４本の脚部とこれらを連結支持する脚支持枠とでスタンドを構成し、４本の脚部の上端部に鍵盤楽器本体が載置される。また、脚支持枠の上下方向の位置を変えることで、載せる鍵盤楽器本体の大きさにかかわらず、高さの変わらないスタンドが提供される。
【０００３】
また、下記特許文献２では、天板部を有する左右の本体をジョイント部材で連結して、左右方向の長さを調節可能なスタンドを構成し、両天板部の上に鍵盤楽器本体が載置されるように構成される。
【特許文献１】特開平１１−２０２８５８号公報
【特許文献２】登録実用新案第２５０３５９２号公報
【発明の開示】
【発明が解決しようとする課題】
【０００４】
しかしながら、上記特許文献１、２では、スタンド上において、鍵盤楽器本体を載置できる位置は目視によっておおざっぱに決められるので、正確な位置決めが容易でない。そのため、鍵盤楽器本体を適切な位置に載置しないと、鍵盤楽器本体が安定しなかったり、円滑な演奏ができなかったりするおそれがある。
【０００５】
また、従来、一般に、ポータブルな鍵盤楽器本体をスタンドに取り付け可能に構成する上では、スタンドのパイプ等に締結用穴を設けると共に、鍵盤楽器本体の下面にネジ穴を設け、下方からネジ止めによってスタンドに鍵盤楽器本体を固定するようにしている。
【０００６】
しかしながら、このような楽器システムにおいても、スタンドの締結用穴に鍵盤楽器本体のネジ穴の位置を一致させるように鍵盤楽器本体を載置することは容易でなく、締結固定時の位置決めが困難であった。
【０００７】
本発明は上記従来技術の問題を解決するためになされたものであり、その目的は、直置き用の脚部と載せ台部の位置を手掛かりに左右方向の位置決めを可能にして、構成を複雑化することなく、楽器本体をスタンドの左右方向における適切な位置に支持させることができる楽器システムを提供することにある。
【課題を解決するための手段】
【０００８】
上記目的を達成するために本発明の請求項１の楽器システムは、電子鍵盤楽器本体と、該電子鍵盤楽器本体を支持するスタンドとを有する楽器システムであって、前記電子鍵盤楽器本体は、その左右端部の前部底面に左側脚部（１１）及び右側脚部（１２）が突設され、前記両脚部を平坦面に当接させて該平坦面に直置き可能であり、前記スタンドの左右端部の前部上部には、左側載せ台部（３１）及び右側載せ台部（３２）が設けられ、前記両載せ台部に前記電子鍵盤楽器本体の底面を当接させて、前記電子鍵盤楽器本体を前記スタンドに支持させることが可能であり、前記電子鍵盤楽器本体を演奏可能なように前記スタンドに支持させたとき、前記電子鍵盤楽器本体の前記左側脚部及び前記右側脚部が、前記スタンドの前記左側載せ台部及び前記右側載せ台部の左右方向における共に内側または共に外側のいずれかに位置するように構成されたことを特徴とする。
【発明の効果】
【０００９】
本発明によれば、直置き用の脚部と載せ台部の位置を手掛かりに左右方向の位置決めを可能にして、構成を複雑化することなく、楽器本体をスタンドの左右方向における適切な位置に支持させることができる。
【発明を実施するための最良の形態】
【００１０】
以下、本発明の実施の形態を図面を参照して説明する。
【００１１】
（第１の実施の形態）
図１は、本発明の第１の実施の形態に係る楽器システムの斜視図である。この楽器システムは、スタンド２０に楽器本体１０が支持され、さらに、足鍵盤１を備えて構成される。足鍵盤１は、スタンド２０の内側において平坦な床面に載置される。楽器本体１０は、電子鍵盤楽器として構成され、２段の鍵盤部を有する。足鍵盤１は、楽器本体１０に電気的に接続されるが、そのための配線の図示は省略されている。以降、前後方向及び左右方向については奏者を基準として呼称する。従って、楽器本体１０に対して奏者側が前側、鍵の並び方向が「左右方向」である。
【００１２】
図２は、スタンド２０の斜視図である。スタンド２０は、主に、いずれも金属製等の左支柱２１、右支柱２２、下側パイプ２５、上側パイプ２６及び斜めパイプ２７、２８が組み付けられて、左右対称に一体的に構成される。左支柱２１、右支柱２２は、真直な角柱で構成され、左右の前部に配置される。
【００１３】
下側パイプ２５、上側パイプ２６は、いずれも平面視コ字状に構成される。これらは、いずれも左右２つの部材を連結して構成されるが、一体に形成してもよい。下側パイプ２５の左右の前端部が、左支柱２１の下端部２１ｂ、右支柱２２の下端部２２ｂの各後部に連結固定されている。また、上側パイプ２６の左右の前端部が、左支柱２１の上端部２１ａ、右支柱２２の上端部２２ａの各後部に連結固定されている。
【００１４】
そして、上側パイプ２６と下側パイプ２５とが、真直な斜めパイプ２７、２８で連結されている。斜めパイプ２７、２８の下端部は、下側パイプ２５の左右方向に延びる部分の左右端部における取付部２５ａ、２５ｂの上部に固定されている。下側パイプ２５の取付部２５ａ、２５ｂの下部には、接地用脚部３７、３８が突設され、これらが床面に当接している。
【００１５】
左支柱２１、右支柱２２の各下端部２１ｂ、２２ｂには、接地用脚部３５、３６が取り付けられ、これらが床面に当接している。左支柱２１、右支柱２２の各上端部２１ａ、２２ａには、樹脂等の軟質部材でなる前側受け部３１、３２が取り付けられている。また、上側パイプ２６の左右方向に延びる部分の左右端部には、突設部２３、２４が上方に突設され、突設部２３、２４の上端には、前側受け部３１、３２と同材料でなる後側受け部３３、３４が取り付けられている。上側パイプ２６において、突設部２３、２４の左右方向内側位置に、ストッパ２９、３０が、上方に突出して設けられている。前側受け部３１、３２、後側受け部３３、３４は、適度の摩擦力を発生させる、いわゆるすべり座として機能する。
【００１６】
図３は、楽器本体１０がスタンド２０に支持された状態を示す楽器システムの底面図である。図４は、楽器本体１０がスタンド２０に支持された状態を示す楽器システムの左端部上部の正面図である。図５は、同楽器システムの上部の左側面図である。
【００１７】
図３に示すように、楽器本体１０の底面１０ｃには、床面に直置きする際に脚部として機能する脚部１１〜１５が突設されている。まず、楽器本体１０の左端部１０ａの底面１０ｃにおいて、前端部に左前脚部１１、後端部に左後脚部１３が突設される。楽器本体１０の右端部１０ｂの底面１０ｃにおいて、前端部に右前脚部１２、後端部に右後脚部１４が突設される。
【００１８】
左前脚部１１と左後脚部１３、右前脚部１２と右後脚部１４は、それぞれ、左右方向の位置が同じである。左前脚部１１と右前脚部１２、左後脚部１３と右後脚部１４は、それぞれ、左右対称に配置及び構成されて、前後方向の位置も同じである。また、左前脚部１１と右前脚部１２との中間には、中央脚部１５が突設される。
【００１９】
脚部１１〜１４は、いずれも同形状に構成され、図４、図５に一部の脚部を示すように、下方に向かって縮径する、断面円形の側面視台形形状に構成される。中央脚部１５は、図４、図５に表されていないが、脚部１１〜１４と同様の形状でそれらよりもサイズが小さく、突出高さは脚部１１〜１４と同じである。
【００２０】
脚部１１〜１５の突出高さは同じである。楽器本体１０を、スタンド２０を利用することなく演奏する場合は、脚部１１〜１５を床面（机面等も含む）に当接させて、直に載置することができる。四隅に位置する脚部１１〜１４の他に、中央脚部１５を有することで、上方から左右方向中央にかかる外力に対しても十分な強度を発揮する。一方、スタンド２０上に載置して演奏する場合は、楽器本体１０の底面１０ｃを、前側受け部３１、３２、後側受け部３３、３４に直接当接させてスタンド２０に支持させる。図１、図３〜図５では、いずれも、楽器本体１０がスタンド２０に対して正規の位置に載置、支持された状態を示している。
【００２１】
ここで、「正規の位置」における位置関係を説明する。正規の位置においては、楽器本体１０は、演奏可能であることはもちろんであるが、その長手方向が左右方向に平行で、楽器本体１０の背面１０ｄがストッパ２９、３０に当接している（図３、図５参照）。正規の位置においてはまた、左前脚部１１及び右前脚部１２が、左支柱２１の上端部２１ａと右支柱２２の上端部２２ａとの間に挟まれるように位置する（図３参照）。すなわち、左前脚部１１が上端部２１ａの右端の右側に近接して位置し、右前脚部１２が上端部２２ａの左端の左側に近接して位置する。
【００２２】
より詳細には、左前脚部１１と右前脚部１２の左右方向外側端同士の間隔は、上端部２１ａと上端部２２ａの内側端同士の間隔より少しだけ狭い。これにより、スタンド２０に対して楽器本体１０が左右方向中央位置に載置された状態では、左前脚部１１と上端部２１ａとの間、右前脚部１２と上端部２２ａとの間には、左右方向における間隙が生じる。例えば、図４に示すように、左前脚部１１と上端部２１ａとの間に間隙Ｃ１が生じる。
【００２３】
楽器本体１０がスタンド２０に支持された状態では、受け部３１〜３４は、楽器本体１０の重みにより少し縮む。例えば、図４に示すように、左前脚部１１の最下端は、左前脚部１１と上端部２１ａの最上位置よりも下方に位置する。従って、楽器本体１０を左右方向にずらしたとすると、左前脚部１１が上端部２１ａに当接する。右前脚部１２と上端部２２ａとの関係もこれと同様である。これにより、スタンド２０に対する楽器本体１０の、正規の位置の範囲内における左右方向の位置が規制される。
【００２４】
正規の位置に支持された状態では、左前脚部１１と上端部２１ａとの間隙Ｃ１（図４参照）と、右前脚部１２と上端部２２ａとの間隙の合計が、左前脚部１１の下端の左右方向の幅以下となるように設定されている。後述するように、楽器本体１０をスタンド２０の左右方向における適切な位置に目視により載置する観点からも、間隙の合計を上記の程度に抑えるのが望ましい。ちなみに、演奏時の音のビリ付き防止の観点からは、上記左右の両間隙は、０より大きく保つ（当接させない）のが望ましい。一方、正規の位置の範囲内で楽器本体１０を移動させても、左後脚部１３と右後脚部１４は、上側パイプ２６あるいは突設部２３、２４、後側受け部３３、３４のいずれにも（すなわち、スタンド２０のいずれの箇所に対しても）干渉しないようになっており、ビリ付きの要因にはならないようになっている。
【００２５】
楽器本体１０のスタンド２０への支持は、次のようにしてなされる。まず、楽器本体１０を、スタンド２０の左右方向におけるおおよそ中央に載置する。その際、前後方向においては、楽器本体１０の背面１０ｄがストッパ２９、３０から少し離間する程度に楽器本体１０を位置させる。そして、左前脚部１１及び右前脚部１２が、左支柱２１の上端部２１ａ及び右支柱２２の上端部２２ａの内側に共に位置するように、楽器本体１０の左右方向の位置を調節する。その際、好ましくは、正面から楽器本体１０とスタンド２０との隙間を覗いて、左前脚部１１及び右前脚部１２の位置を目視で確認する。その後、楽器本体１０を後方にずらせて、背面１０ｄをストッパ２９、３０に当接させる。後方にずらす際にも、左後脚部１３と右後脚部１４がスタンド２０に対して干渉することはない。
【００２６】
すなわち、作業者は、上端部２１ａ、２２ａと脚部１１、１２との位置関係を手掛かりに、スタンド２０の適切な位置に目視で容易に楽器本体１０を支持させることができる。また、上端部２１ａ、２２ａにより、楽器本体１０の左右方向の位置が規制される。ストッパ２９、３０により、楽器本体１０の前後方向の位置が規制されると共に、楽器本体１０の後方への脱落が防止される。適切に支持された状態では、図４に示すように、楽器本体１０の底面１０ｃのうち、受け部３１〜３４に対応する位置である当接面（図４では当接面１０ｃ１、１０ｃ３のみ図示）が、受け部３１〜３４に当接することを介して楽器本体１０がスタンド２０に支持される。
【００２７】
本実施の形態によれば、左前脚部１１及び右前脚部１２が左支柱２１、右支柱２２の各上端部２１ａ、２２ａの左右方向における共に内側に位置する状態で、楽器本体１０が、演奏可能な正規の位置でスタンド２０に支持されるので、左前脚部１１及び右前脚部１２と、上端部２１ａ、２２ａの位置を手掛かりに、楽器本体１０の左右方向の位置決めが可能である。よって、目視確認により、楽器本体１０をスタンド２０の左右方向における適切な位置に支持させることができる。また、ストッパ２９、３０により、前後方向における適切な位置に支持させることができる。しかも、目印に利用する左前脚部１１及び右前脚部１２は、直置き用の脚部でもあるので、構成を特別に複雑化することがない。
【００２８】
また、左前脚部１１及び右前脚部１２の左右方向外側の位置において、楽器本体１０の底面１０ｃが前側受け部３１、３２に当接するので（図４に示す当接面１０ｃ１及びこれと左右対称の部位）、支持位置が左右に離間しており、楽器本体１０を安定的に保持することができる。それだけでなく、奏者の足が入るスペースや足鍵盤１の設置スペースに与える制約が少なくて済む。
【００２９】
また、特に、左支柱２１、右支柱２２は、真直であるので、作業者は、左支柱２１、右支柱２２の延設方向から上端部２１ａ、２２ａの位置がおおよそ把握できる。そのため、必ずしも正面から覗かなくても、楽器本体１０を左右方向における適切な位置に載置するのが容易である。また、左支柱２１、右支柱２２が真直であって、上端部２１ａ、２２ａで（前側受け部３１、３２を介して）楽器本体１０を支えるので、支持強度が高くなっている。
【００３０】
なお、本実施の形態では、正規の位置において、仮に、楽器本体１０を左右方向に移動させたとき、左前脚部１１及び右前脚部１２と当接して左右方向の位置を規制するのは、左支柱２１、右支柱２２の各上端部２１ａ、２２ａであったが、これに限るものではなく、前側受け部３１、３２であってもよい。例えば、前側受け部３１、３２の断面形状を、上端部２１ａ、２２ａの断面形状に一致、あるいはそれより大きく構成して、左前脚部１１及び右前脚部１２が前側受け部３１、３２にのみ、あるいは前側受け部３１、３２及び／又は上端部２１ａ、２２ａに当接し得るようにしてもよい。あるいは、前側受け部３１、３２を厚くする等によって、左前脚部１１及び右前脚部１２が上端部２１ａ、２２ａに当接しないように構成し、左前脚部１１及び右前脚部１２が前側受け部３１、３２にのみ当接し得るようにしてもよい。あるいは、前側受け部３１、３２を設ける代わりに、上端部２１ａ、２２ａ自体を軟質部材で構成し、楽器本体１０を直接支持する構成としてもよい。
【００３１】
なお、本実施の形態では、楽器本体１０が重量物であるため、スタンド２０上に載置するだけで演奏自体に支障はない。しかし、より安定的に固定するためには、ネジ止めで固定してもよい。その場合は、上側パイプ２６の複数の適所に締結用穴を設けると共に、楽器本体１０の底面１０ｃにおける対応する位置にネジ穴を設け、下方からネジを螺合して固定する。これにより、最適な位置で楽器本体１０がスタンド２０に固定支持される。このように構成した場合は、左前脚部１１、右前脚部１２、上端部２１ａ、２２ａ、ストッパ２９、３０は、仮位置決めとしての機能を果たすことになる。なお、上記締結用穴を左右方向及び／又は前後方向に幅広に形成することで、楽器本体１０の仮位置決め状態における少々の位置の誤差が吸収されるだけでなく、楽器本体１０のゆがみ、変形、製造誤差等も吸収される。
【００３２】
（第２の実施の形態）
図６（ａ）は、本発明の第２の実施の形態に係る楽器システムが正規の位置に配置された状態の底面視による模式図である。本第２の実施の形態では、左支柱２１、右支柱２２の各上端部の形状が第１の実施の形態とは異なり、また、ストッパ２９、３０は省略してもよい。その他の構成は第１の実施の形態と同様である。
【００３３】
同図（ａ）に示すように、本第２の実施の形態では、左支柱２１の上端部１２１ａ、右支柱２２の上端部１２２ａが、左右方向外側且つ前方に凸のく字状を呈している。前側受け部３１、３２の形状は問わないが、例えば、第１の実施の形態のものと同じとする。突設部２３、２４と左後脚部１３、右後脚部１４の位置関係は第１の実施の形態と全く同じである。
【００３４】
楽器本体１０を正規の位置に載置したとき、左前脚部１１、右前脚部１２は、上端部１２１ａ、上端部１２２ａのそれぞれ凹側に位置する。すなわち、左前脚部１１、右前脚部１２は、それぞれ、上端部１２１ａの右端側規制部１２１ａ１の左右方向内側（右側）、上端部１２２ａの左端側規制部１２２ａ１の左右方向内側（左側）に位置する。さらに、左前脚部１１、右前脚部１２は、それぞれ、上端部１２１ａの後側規制部１２１ａ２の後側、上端部１２２ａの後側規制部１２２ａ２の後側に位置する。
【００３５】
これにより、ストッパ２９、３０を省略しても、左前脚部１１、右前脚部１２と上端部１２１ａ、１２２ａとの位置関係を手掛かりに、楽器本体１０を左右方向及び前後方向の適切な位置に支持させることができる。しかも、正規の位置に載置した後は、楽器本体１０の左右方向及び後方への移動が所定の範囲に規制される。
【００３６】
本実施の形態によれば、第１の実施の形態と同様の効果を奏することができる。
【００３７】
なお、上端部１２１ａ、上端部１２２ａを、左右方向内側且つ前方に凸のく字状に構成し、左前脚部１１、右前脚部１２を、上端部１２１ａ、上端部１２２ａのそれぞれ凹側に位置させてもよい。また、好ましくはストッパ２９、３０を省略することなく、上端部１２１ａ、上端部１２２ａを、左右方向内側且つ後方に凸のく字状、または、左右方向外側且つ後方に凸のく字状に構成してもよい。
【００３８】
（第３の実施の形態）
図６（ｂ）は、本発明の第３の実施の形態に係る楽器システムが正規の位置に配置された状態の底面視による模式図である。本第３の実施の形態では、左後脚部１３、右後脚部１４の位置が第１の実施の形態とは異なる。その他の構成は第１の実施の形態と同様である。
【００３９】
同図（ｂ）に実線で示すように、本第３の実施の形態では、楽器本体１０が正規の位置に載置されたとき、左後脚部１３、右後脚部１４が、突設部２３、２４の直ぐ後方に位置するように、左後脚部１３、右後脚部１４が設けられる。楽器本体１０を正規の位置から前方にずらそうとすると、左後脚部１３、右後脚部１４が突設部２３、２４に当接するので、前方への移動が規制される。また、後方への移動規制は、第１の実施の形態と同様に、ストッパ２９、３０によってなされる。従って、正規の位置に載置された楽器本体１０は、左右方向だけでなく、前後方向においても、所定の範囲内の位置に移動が規制され、常にほぼ同じ位置を維持する。
【００４０】
本実施の形態によれば、第１の実施の形態と同様の効果に加えて、楽器本体１０の支持後の前後方向における位置を安定維持することができる。
【００４１】
なお、第３の実施の形態において、左後脚部１３、右後脚部１４の位置を、同図（ｂ）の２点鎖線で示すように、突設部２３、２４の直ぐ前方に位置するように設けてもよい。この場合は、仮にストッパ２９、３０を省略したとしても、左後脚部１３、右後脚部１４と突設部２３、２４との当接により、ストッパ２９、３０と同様の機能が果たされる。
【００４２】
なお、図６（ｂ）に実線または２点鎖線で示した左後脚部１３、右後脚部１４は、第１の実施の形態における左後脚部１３、右後脚部１４とは別個に設けもよい。すなわち、第１の実施の形態における左後脚部１３、右後脚部１４に加えて、前後方向の位置を規制するための部材を、図６（ｂ）に実線または２点鎖線で示す位置に設けてもよい。
【００４３】
なお、第３の実施の形態において、左前脚部１１、右前脚部１２を、上端部２１ａ、２２ａの各内側に共に配置するのではなく、図６（ｂ）に２点鎖線で示すように、各外側に共に配置してもよい。このようにしても、構成を複雑化することなく、楽器本体１０をスタンド２０の左右方向における適切な位置に支持させることに限って言えば、第１の実施の形態と同様の効果を奏することができる。
【００４４】
なお、このような、左前脚部１１、右前脚部１２を上端部２１ａ、２２ａの各外側に配置する構成は、第１の実施の形態においても採用可能である。
【図面の簡単な説明】
【００４５】
【図１】本発明の第１の実施の形態に係る楽器システムの斜視図である。
【図２】スタンドの斜視図である。
【図３】楽器本体がスタンドに支持された状態を示す楽器システムの底面図である。
【図４】楽器本体がスタンドに支持された状態を示す楽器システムの左端部上部の正面図である。
【図５】同楽器システムの上部の左側面図である。
【図６】本発明の第２の実施の形態に係る楽器システムが正規の位置に配置された状態の底面視による模式図（図（ａ））、本発明の第３の実施の形態に係る楽器システムが正規の位置に配置された状態の底面視による模式図（図（ｂ））である。
【符号の説明】
【００４６】
１０  楽器本体（電子鍵盤楽器本体）、  １０ｃ  底面、  １１  左前脚部（左側脚部）、  １２  右前脚部（右側脚部）、  ２０  スタンド、  ２１  左支柱、  ２２  右支柱、  ３１  前側受け部（左側載せ台部）、  ３２  前側受け部（右側載せ台部）
【図１】
0004720617.tif 000002
【図２】
0004720617.tif 000003
【図３】
0004720617.tif 000004
【図４】
0004720617.tif 000005
【図５】
0004720617.tif 000006
【図６】
0004720617.tif 000007